(57)【特許請求の範囲】
【請求項１】
第１のトラヒック・チャンネルに関連したトラヒック・チャンネル・データを受信することであって、前記トラヒック・チャンネル・データは、シンボルの第１のセットおよびシンボルの第２のセットを含む、受信することと、
プロセッサにおいて、第１のカバリングされたシンボル・ストリームを生成するために、第１の長さの第１の拡散符号によってシンボルの前記第１のセットをカバリングすることと、
前記プロセッサにおいて、第２のカバリングされたシンボル・ストリームを生成するために、第２の長さの第２の拡散符号によってシンボルの前記第２のセットをカバリングすることであって、前記第２の長さは前記第１の長さとは異なる、カバリングすることと、
前記第１のカバリングされたシンボル・ストリームと前記第２のカバリングされたシンボル・ストリームとを統合して、統合されたストリームにすることと、
無線通信チャンネルを介して前記統合されたストリームを送信することと、
を具備する方法。
【請求項２】
前記第１の拡散符号は、利用可能なウォルシュ空間の２分の１に対応する長さ２のウォルシュ符号であり、前記第２の拡散符号は、前記利用可能なウォルシュ空間の４分の１に対応する第１の長さ４のウォルシュ符号である、請求項１に記載の方法。
【請求項３】
前記第１のトラヒック・チャンネルは、第１のウォルシュ・チャンネルおよび第２のウォルシュ・チャンネルを利用し、前記第１のウォルシュ・チャンネルは、前記長さ２のウォルシュ符号を使用し、前記第２のウォルシュ・チャンネルは、前記第１の長さ４のウォルシュ符号を使用する、請求項２に記載の方法。
【請求項４】
前記長さ２のウォルシュ符号は＋−であり、前記第１の長さ４のウォルシュ符号は＋＋−−である、請求項３に記載の方法。
【請求項５】
前記無線通信チャンネルは、符号分割多元接続（ＣＤＭＡ）チャンネルであり、前記第１のトラヒック・チャンネルは、高レート・トラヒック・チャンネルである、請求項３に記載の方法。
【請求項６】
前記高レート・トラヒック・チャンネルは、逆方向拡張補助チャンネル（Ｒ−ＥＳＣＨ）である、請求項５に記載の方法。
【請求項７】
複数の低レート・トラヒック・チャンネルが、各々、前記利用可能なウォルシュ空間の残りの４分の１に対応する第２の長さ４のウォルシュ符号の派生物であるウォルシュ符号を使用する、請求項６に記載の方法。
【請求項８】
前記第２の長さ４のウォルシュ符号は＋＋＋＋である、請求項７に記載の方法。
【請求項９】
前記複数の低レート・トラヒック・チャンネルは、前記Ｒ−ＥＳＣＨに関する制御情報を提供する逆方向レート指標チャンネル（Ｒ−ＲＩＣＨ）を含み、前記Ｒ−ＲＩＣＨは、長さ６４のウォルシュ符号を使用する、請求項７に記載の方法。
【請求項１０】
前記トラヒック・チャンネル・データは、移動局で受信され、前記統合されたストリームは、無線通信チャンネルを介して前記移動局から基地局に送信される、請求項１に記載の方法。
【請求項１１】
第１のトラヒック・チャンネルに関連したトラヒック・チャンネル・データを受信し、ここで、前記トラヒック・チャンネル・データは、シンボルの第１のセットおよびシンボルの第２のセットを含み、
第１のカバリングされたシンボル・ストリームを生成するために、第１の長さの第１の拡散符号によってシンボルの前記第１のセットをカバリングし、
第２のカバリングされたシンボル・ストリームを生成するために、第２の長さの第２の拡散符号によってシンボルの前記第２のセットをカバリングし、ここで、前記第２の長さは前記第１の長さとは異なり、
前記第１のカバリングされたシンボル・ストリームと前記第２のカバリングされたシンボル・ストリームとを統合して、統合されたストリームにする、
ように構成されたプロセッサと、
無線通信チャンネルを介して前記統合されたストリームを送信するように構成された送信機と、
を具備する装置。
【請求項１２】
前記第１の拡散符号は、利用可能なウォルシュ空間の２分の１に対応する長さ２のウォルシュ符号であり、前記第２の拡散符号は、前記利用可能なウォルシュ空間の４分の１に対応する長さ４のウォルシュ符号である、請求項１１に記載の装置。
【請求項１３】
前記第１のトラヒック・チャンネルは、第１のウォルシュ・チャンネルおよび第２のウォルシュ・チャンネルを利用し、前記第１のウォルシュ・チャンネルは、前記長さ２のウォルシュ符号を使用し、前記第２のウォルシュ・チャンネルは、前記長さ４のウォルシュ符号を使用する、請求項１２に記載の装置。
【請求項１４】
前記第１のトラヒック・チャンネルは、逆方向拡張補助チャンネル（Ｒ−ＥＳＣＨ）である、請求項１１に記載の装置。
【請求項１５】
前記プロセッサはさらに、
前記Ｒ−ＥＳＣＨに関する制御情報を提供する逆方向レート指標チャンネル（Ｒ−ＲＩＣＨ）に関連した第２のトラヒック・チャンネル・データを受信し、ここで、前記第２のトラヒック・チャンネル・データはシンボルの第３のセットを含み、
第３のカバリングされたシンボル・ストリームを生成するために、長さ６４のウォルシュ符号によってシンボルの前記第３のセットをカバリングする、ように構成されており、
ここで、前記送信機はさらに、前記無線通信チャンネルを介して前記第３のカバリングされたシンボル・ストリームを送信するように構成される、請求項１４に記載の装置。
【請求項１６】
変調器およびデマルチプレクサをさらに具備しており、前記デマルチプレクサは、前記変調器から受信された複数のシンボルの単一のストリームからシンボルの前記第１のセットおよびシンボルの前記第２のセットを抽出する、請求項１１に記載の装置。
【請求項１７】
シンボルの前記第１のセットは、前記変調器から受信された前記複数のシンボルの最初の３分の１を含み、シンボルの前記第２のセットは、前記変調器から受信された前記複数のシンボルの残りの３分の２を含む、請求項１６に記載の装置。
【請求項１８】
シンボルの前記第１のセットは、前記変調器から受信された前記複数のシンボルの３番目ごとのシンボルを含み、シンボルの前記第２のセットは、前記変調器から受信された前記複数のシンボルの残りの各シンボルを含む、請求項１６に記載の装置。
【請求項１９】
第１のトラヒック・チャンネルに関連したトラヒック・チャンネル・データを受信するための手段であって、前記トラヒック・チャンネル・データは、シンボルの第１のセットおよびシンボルの第２のセットを含む、受信するための手段と、
第１のカバリングされたシンボル・ストリームを生成するために、第１の長さの第１の拡散符号によってシンボルの前記第１のセットをカバリングするための手段と、
第２のカバリングされたシンボル・ストリームを生成するために、第２の長さの第２の拡散符号によってシンボルの前記第２のセットをカバリングするための手段であって、前記第２の長さは前記第１の長さとは異なる、カバリングするための手段と、
前記第１のカバリングされたシンボル・ストリームと前記第２のカバリングされたシンボル・ストリームとを統合して、統合されたストリームにするための手段と、
無線通信チャンネルを介して前記統合されたストリームを送信するための手段と、
を具備する装置。
【請求項２０】
前記第１の拡散符号は、利用可能なウォルシュ空間の２分の１に対応する長さ２のウォルシュ符号であり、前記第２の拡散符号は、前記利用可能なウォルシュ空間の４分の１に対応する第１の長さ４のウォルシュ符号である、請求項１９に記載の装置。
【請求項２１】
前記第１のトラヒック・チャンネルは、第１のウォルシュ・チャンネルおよび第２のウォルシュ・チャンネルを利用し、前記第１のウォルシュ・チャンネルは、前記長さ２のウォルシュ符号を使用し、前記第２のウォルシュ・チャンネルは、前記第１の長さ４のウォルシュ符号を使用する、請求項２０に記載の装置。
【請求項２２】
第２のトラヒック・チャンネルに関連した第２のトラヒック・チャンネル・データを受信するための手段であって、前記第２のトラヒック・チャンネル・データはシンボルの第３のセットを含む、受信するための手段と、
前記利用可能なウォルシュ空間の残りの４分の１に対応する第２の長さ４のウォルシュ符号の派生物であるウォルシュ符号によってシンボルの前記第３のセットをカバリングすることによって、前記無線通信チャンネルを介した送信のために第３のカバリングされたシンボル・ストリームを生成するための手段と、をさらに具備する、請求項２０に記載の装置。
【請求項２３】
プロセッサによって実行されたときに、前記プロセッサに、
第１のトラヒック・チャンネルに関連したトラヒック・チャンネル・データを受信することであって、前記トラヒック・チャンネル・データは、シンボルの第１のセットおよびシンボルの第２のセットを含む、受信することと、
第１のカバリングされたシンボル・ストリームを生成するために、第１の長さの第１の拡散符号によってシンボルの前記第１のセットをカバリングすることと、
第２のカバリングされたシンボル・ストリームを生成するために、第２の長さの第２の拡散符号によってシンボルの前記第２のセットをカバリングすることであって、前記第２の長さは前記第１の長さとは異なる、カバリングすることと、
前記第１のカバリングされたシンボル・ストリームと前記第２のカバリングされたシンボル・ストリームとを統合して、統合されたストリームにすることと、
無線通信チャンネルを介して前記統合されたストリームを送信することと、
を実行させる命令を具備する、コンピュータ読取可能な記録媒体。
【請求項２４】
前記第１の拡散符号は、利用可能なウォルシュ空間の２分の１に対応する長さ２のウォルシュ符号であり、前記第２の拡散符号は、前記利用可能なウォルシュ空間の４分の１に対応する長さ４のウォルシュ符号である、請求項２３に記載のコンピュータ読取可能な記録媒体。
【請求項２５】
前記第１のトラヒック・チャンネルは、第１のウォルシュ・チャンネルおよび第２のウォルシュ・チャンネルを利用し、前記第１のウォルシュ・チャンネルは長さ２のウォルシュ符号を使用し、前記第２のウォルシュ・チャンネルは長さ４のウォルシュ符号を使用する、請求項２４に記載のコンピュータ読取可能な記録媒体。
【請求項２６】
前記第１のトラヒック・チャンネルは、逆方向拡張補助チャンネル（Ｒ−ＥＳＣＨ）である、請求項２５に記載のコンピュータ読取可能な記録媒体。
【請求項２７】
前記プロセッサによって実行されたときに、前記プロセッサに、
前記Ｒ−ＥＳＣＨに関する制御情報を提供する逆方向レート指標チャンネル（Ｒ−ＲＩＣＨ）に関連した第２のトラヒック・チャンネル・データを受信することであって、前記第２のトラヒック・チャンネル・データはシンボルの第３のセットを含む、受信することと、
第３のカバリングされたシンボル・ストリームを生成するために、長さ６４のウォルシュ符号によってシンボルの前記第３のセットをカバリングすることと、
前記無線通信チャンネルを介して前記第３のカバリングされたシンボル・ストリームを送信することと、を実行させる命令をさらに具備する、請求項２６に記載のコンピュータ読取可能な記録媒体。
【請求項２８】
トラヒック・チャンネルに関連したトラヒック・チャンネル・データの統合されたストリームを受信することと、
前記トラヒック・チャンネル・データの統合されたストリームを、第１のカバリングされたシンボル・ストリームおよび第２のカバリングされたシンボル・ストリームへとデマルチプレックスすることであって、ここで、前記第１のカバリングされたシンボル・ストリームは、第１の長さの第１の拡散符号によってカバリングされ、前記第２のカバリングされたシンボル・ストリームは、前記第１の長さとは異なる第２の長さの第２の拡散符号によってカバリングされる、デマルチプレックスすることと、
プロセッサにおいて、前記第１の拡散符号を使用して、前記第１のカバリングされたシンボル・ストリームをシンボルの第１のセットへとデコードすることと、
前記プロセッサにおいて、前記第２の拡散符号を使用して、前記第２のカバリングされたシンボル・ストリームをシンボルの第２のセットへとデコードすることと、
を具備する方法。
【請求項２９】
前記第１の拡散符号は、利用可能なウォルシュ空間の２分の１に対応する長さ２のウォルシュ符号であり、前記第２の拡散符号は、前記利用可能なウォルシュ空間の４分の１に対応する第１の長さ４のウォルシュ符号である、請求項２８に記載の方法。
【請求項３０】
前記トラヒック・チャンネルは、第１のウォルシュ・チャンネルおよび第２のウォルシュ・チャンネルを利用し、前記第１のウォルシュ・チャンネルは、前記長さ２のウォルシュ符号を使用し、前記第２のウォルシュ・チャンネルは、前記第１の長さ４のウォルシュ符号を使用する、請求項２９に記載の方法。
【請求項３１】
前記トラヒック・チャンネルは、逆方向拡張補助チャンネル（Ｒ−ＥＳＣＨ）である、請求項３０に記載の方法。
【請求項３２】
前記トラヒック・チャンネル・データの統合されたストリームは、移動局から送信され、基地局において受信される、請求項２８に記載の方法。
【請求項３３】
トラヒック・チャンネルに関連したトラヒック・チャンネル・データの統合されたストリームを受信する受信器と、
前記トラヒック・チャンネル・データの統合されたストリームを、第１のカバリングされたシンボル・ストリームおよび第２のカバリングされたシンボル・ストリームへとデマルチプレックスするデマルチプレクサであって、前記第１のカバリングされたシンボル・ストリームは、第１の長さの第１の拡散符号によってカバリングされ、前記第２のカバリングされたシンボル・ストリームは、前記第１の長さとは異なる第２の長さの第２の拡散符号によってカバリングされる、デマルチプレクサと、
前記第１の拡散符号を使用して、前記第１のカバリングされたシンボル・ストリームをシンボルの第１のセットへとデコードし、前記第２の拡散符号を使用して、前記第２のカバリングされたシンボル・ストリームをシンボルの第２のセットへとデコードする、デコーディング論理と、
を具備する装置。
【請求項３４】
前記第１の拡散符号は、利用可能なウォルシュ空間の２分の１に対応する長さ２のウォルシュ符号であり、前記第２の拡散符号は、前記利用可能なウォルシュ空間の４分の１に対応する長さ４のウォルシュ符号である、請求項３３に記載の装置。
【請求項３５】
前記第１のトラヒック・チャンネルは、第１のウォルシュ・チャンネルおよび第２のウォルシュ・チャンネルを利用し、前記第１のウォルシュ・チャンネルは、前記長さ２のウォルシュ符号を使用し、前記第２のウォルシュ・チャンネルは、前記長さ４のウォルシュ符号を使用する、請求項３４に記載の装置。
【請求項３６】
前記トラヒック・チャンネルは、逆方向拡張補助チャンネル（Ｒ−ＥＳＣＨ）である、請求項３５に記載の装置。
【請求項３７】
トラヒック・チャンネルに関連したトラヒック・チャンネル・データの統合されたストリームを受信するための手段と、
前記トラヒック・チャンネル・データの統合されたストリームを、第１のカバリングされたシンボル・ストリームおよび第２のカバリングされたシンボル・ストリームへとデマルチプレックスするための手段であって、前記第１のカバリングされたシンボル・ストリームは、第１の長さの第１の拡散符号によってカバリングされ、前記第２のカバリングされたシンボル・ストリームは、前記第１の長さとは異なる第２の長さの第２の拡散符号によってカバリングされる、デマルチプレックスするための手段と、
前記第１の拡散符号を使用して、前記第１のカバリングされたシンボル・ストリームをシンボルの第１のセットへとデコードするための手段と、
前記第２の拡散符号を使用して、前記第２のカバリングされたシンボル・ストリームをシンボルの第２のセットへとデコードするための手段と、
を具備する装置。
【請求項３８】
前記第１の拡散符号は、利用可能なウォルシュ空間の２分の１に対応する長さ２のウォルシュ符号であり、前記第２の拡散符号は、前記利用可能なウォルシュ空間の４分の１に対応する長さ４のウォルシュ符号である、請求項３７に記載の装置。
【請求項３９】
前記第１のトラヒック・チャンネルは、第１のウォルシュ・チャンネルおよび第２のウォルシュ・チャンネルを利用し、前記第１のウォルシュ・チャンネルは、前記長さ２のウォルシュ符号を使用し、前記第２のウォルシュ・チャンネルは、前記長さ４のウォルシュ符号を使用する、請求項３８に記載の装置。
【請求項４０】
前記トラヒック・チャンネルは、逆方向拡張補助チャンネル（Ｒ−ＥＳＣＨ）である、請求項３９に記載の装置。
【請求項４１】
プロセッサによって実行されたときに、前記プロセッサに、
トラヒック・チャンネルに関連したトラヒック・チャンネル・データの統合されたストリームを受信することと、
前記トラヒック・チャンネル・データの統合されたストリームを、第１のカバリングされたシンボル・ストリームおよび第２のカバリングされたシンボル・ストリームへとデマルチプレックスすることであって、前記第１のカバリングされたシンボル・ストリームは、第１の長さの第１の拡散符号によってカバリングされ、前記第２のカバリングされたシンボル・ストリームは、前記第１の長さとは異なる第２の長さの第２の拡散符号によってカバリングされる、デマルチプレックスすることと、
前記第１の拡散符号を使用して、前記第１のカバリングされたシンボル・ストリームをシンボルの第１のセットへとデコードすることと、
前記第２の拡散符号を使用して、前記第２のカバリングされたシンボル・ストリームをシンボルの第２のセットへとデコードすることと、
を実行させる命令を具備する、コンピュータ読取可能な記録媒体。
【請求項４２】
前記第１の拡散符号は、利用可能なウォルシュ空間の２分の１に対応する長さ２のウォルシュ符号であり、前記第２の拡散符号は、前記利用可能なウォルシュ空間の４分の１に対応する長さ４のウォルシュ符号である、請求項４１に記載のコンピュータ読取可能な記録媒体。
【請求項４３】
前記トラヒック・チャンネルは、第１のウォルシュ・チャンネルおよび第２のウォルシュ・チャンネルを利用し、前記第１のウォルシュ・チャンネルは、前記長さ２のウォルシュ符号を使用し、前記第２のウォルシュ・チャンネルは、前記長さ４のウォルシュ符号を使用する、請求項４２に記載のコンピュータ読取可能な記録媒体。
【請求項４４】
前記トラヒック・チャンネルは、逆方向拡張補助チャンネル（Ｒ−ＥＳＣＨ）である、請求項４３に記載のコンピュータ読取可能な記録媒体。
【発明の詳細な説明】
【技術分野】
【０００１】
本特許出願は、２００３年３月６日に出願された“通信システムにおける逆方向リンク通信のための方法及び装置（Method and Apparatus for a Reverse Link Communication in a Communication System）”と題する、米国仮特許出願番号第６０／４５２，７９０号、及び２００３年５月１４日に出願された“Ｒｅｌ．Ｄのための外部ループ・パワー制御（Outer-Loop Power Control for Rel. D）”と題する、米国仮特許出願番号第６０／４７０，７７０に優先権を主張し、これらは、本出願の譲受人に譲渡され、これにより本明細書中に参照文献として明確に組み入れられる。
【０００２】
本発明は、一般に、通信システムに関し、特に、広い周波数スペクトルに亘りデータを拡散するために直接系列（direct-sequence）符号を使用するためのシステム及び方法に関する。
【背景技術】
【０００３】
無線通信技術は、急速に進歩しつつあり、無線通信システムは、現在ユーザに利用可能な通信容量の益々多くの部分を提供するために利用されている。これは、有線システムに比較して、無線通信システムを実施する際に直面する更なる技術的障害にも拘わらず真実である。
【０００４】
無線通信システムの１つのタイプは、音声又はデータ通信をサポートするために構成されるセルラＣＤＭＡ（code division multiple access：符号分割多元アクセス）システムを具備する。このシステムは、無線チャンネルを介して多数の移動局と通信する多数の基地局を有することができる。（基地局は、しかも、一般的に、有線ネットワークを介して、公衆電話交換ネットワークのような、種々の他のシステムにも接続される。）各基地局は、基地局に対応するセクタの内部にある移動局のセットと通信する。
【０００５】
ＣＤＭＡは、一般に、直接系列スペクトル拡散通信の１形式を呼ぶ。スペクトル拡散通信技術は、一般に、複数の特徴により特色付けられる。これらの特徴の１つは、スペクトル拡散信号が、送信されるデータを送るために実際に必要な最小の帯域幅より遥かに大きな帯域幅を占有する事実である。より大きな帯域幅の使用は、多数のユーザによる干渉に対するより大きな耐性及びより大きなアクセスの裕度（tolerance）を含む、多くの利点を提供する。もう１つの特色付ける特徴は、より大きな帯域幅に亘る信号の拡散が、送信されているデータから独立している拡散符号により実現されるという事実である。もう１つの特色付ける特徴は、スペクトル拡散受信機が、送信されたデータを再生するために、それ自身を拡散符号と同期させるという事実である。独立した候補装置（candidates）及び受信機による同期受信の使用は、多数のユーザが同時にシステム（及び同じ帯域幅）を利用することを可能にする。
【０００６】
ＣＤＭＡは、ディジタル化された音声データ、ＩＳＤＮチャンネル、モデム・データ、及びその他を含む、種々のタイプのデータを送信するために使用されることができる。このデータは、一般的に、１つ以上のトラヒック・チャンネル（traffic channel）上で送信され、これらのトラヒック・チャンネルは、統合され、１個のＣＤＭＡチャンネルとして送信される。トラヒック・チャンネルは、一般的に、互いに直交するように選択され、その結果、他のトラヒック・チャンネルからの干渉が最小化される。ＣＤＭＡチャンネルの送信に含まれるステップは、一般に、各トラヒック・チャンネルのデータを誤り制御コーディングすること（coding）、インタリービングすること（interleaving）、そして変調すること、符号チャンネル・シンボルの直交系列を生成する符号により各トラヒック・チャンネルを拡散すること、異なるトラヒック・チャンネルの符号チャンネル・シンボルを統合すること、チップ・レートで疑似ランダム符号を用いて統合された符号チャンネル・シンボルをカバリングすること（covering）、及びＣＤＭＡ搬送波周波数で信号をフィルタすること、増幅すること、そして送信することから成る。ＣＤＭＡチャンネル送信を受信することは、一般に、信号を受信することそして増幅すること、スペクトル拡散信号を再生するために受信された信号をローカル搬送波とミキシングすること、送信に使用されたものと同一の疑似ランダム符号を発生させること、統合された符号チャンネル・シンボルを抽出するために信号を疑似ランダム符号と対応させること、統合された符号チャンネル・シンボルの系列を各トラヒック・チャンネルに関する直交符号と対応させること、及び各トラヒック・チャンネルを復調すること、デインタリーブすること（deinterleaving）、そして誤り制御デコーディングすること（decoding）から成る。
【０００７】
ｃｄｍａ２０００と呼ばれる、ＣＤＭＡシステムの１つのタイプにおいて、トラヒック・チャンネルを拡散するために利用される特定の符号は、ウォルシュ符号（Walsh code）として公知の系列を具備する。ウォルシュ符号は、例えば、これらの符号が直交し、従って、そのユーザからのその他のトラヒック・チャンネル間の干渉を最小化するという理由で、ＣＤＭＡシステムにおいて有用である。ウォルシュ符号は、そのチップ・レートに至るまでの変調されたシンボルの系列を取得するために、トラヒック・チャンネル上の変調されたシンボルの系列を拡散する。毎秒１，２２８，８００チップのチップ・レートを用いる現在のｃｄｍａ２０００システムは、ｎ＝２から７である２ｎ個シンボルのウォルシュ符号を使用する。長さ２ｎのウォルシュ符号は、全利用可能ウォルシュ空間の１／２ｎの部分を使用する。例えば、長さ−４のウォルシュ符号は、全ウォルシュ空間の４分の１を使用し、その長さ−４のウォルシュ符号から導出されたより長い長さのウォルシュ符号の全ては、直交系列を提供するために使用されることができない。低い変調シンボル・レートを持つ低レート・トラヒック・チャンネルは、長いウォルシュ符号を使用することができる。長いウォルシュ符号は、毎秒１，２２８，８００シンボルの最大拡散変調シンボル・レートを超過するものを用いないウォルシュ空間の小さな部分を使用するのみである。しかしながら、高いトラヒック・チャンネル・データ・レートを用いると、ウォルシュ空間の大きな部分を使用する短いウォルシュ符号が使用されなければならない。高いトラヒック・チャンネル・データ・レートを用いて最良の可能な性能を取得するためには、ウォルシュ空間を効率的に使用することが重要である。ｃｄｍａ２０００に対して現在規定されている低レート逆方向リンク・トラヒック・チャンネルは、利用可能なウォルシュ空間の約４分の１を利用するのみで、低レート逆方向リンク・トラヒック・チャンネルが使用するウォルシュ空間は、同じ長さ−４のウォルシュ符号から全て導出される。ｃｄｍａ２０００システムは、ウォルシュ空間の残りの４分の３を、一般的に、高レート・トラヒック・チャンネルのために使用する。しかしながら、ｃｄｍａ２０００システムは、その最高のデータ・レートでウォルシュ空間のこの４分の３を最良に利用させない。より高いデータ・レートが使用されるときでさえも、ウォルシュ空間の残りの４分の３を最大限に使用させるためのシステム及び方法に対してこの技術において一層重要なニーズがあり、さらなるウォルシュ空間が最高の可能なシステム性能を実現するために効率的に利用されることができる。これは、ｃｄｍａ２０００システムに関して、同様に、他のタイプの符号を使用する他のタイプの無線スペクトル拡散通信システムに関して真実である。
【０００８】
利用可能な未使用のウォルシュ空間を効率的に使用することについての問題は、ウォルシュ符号がウォルシュ空間の１／２ｎの部分だけを使用することである。それ故に、ウォルシュ空間の４分の３を使用するための取り組み方が、決定されなければならない。１つの取り組み方は、長さ−２のウォルシュ符号を用いてウォルシュ空間の丁度半分を使用することである。しかしながら、これは、符号チャンネルに関してより高い誤り制御符号レート又はより低いデータ・レートを生じる結果となり、それは、好ましくない。他の１つの取り組み方は、３つの長さ−４のウォルシュ符号上に高いデータ・レート・トラヒック・チャンネルをマルチプレックス（multiplex）することにある。しかしながら、これは、結果としてのウォルシュ拡散トラヒック・チャンネルに関して必要なピーク対平均パワー比より結果として高くなる。
【発明の概要】
【０００９】
本明細書中に開示された実施形態は、最大の利用可能なウォルシュ空間を利用するために、最小の個数の様々な長さのウォルシュ符号を使用することにより、前に言及されたニーズに対処する。符号チャンネルの変調シンボルを拡散するために、より少ないウォルシュ符号を使用することにより、トラヒック・チャンネルのピーク対平均パワー比は、改善され、これにより、システムの性能を改善する。
【００１０】
概して言えば、本発明は、直接系列スペクトル拡散通信システムの性能を改善するためのシステム及び方法を具備する。１つの実施形態において、システムは、広い通信スペクトルに亘ってトラヒック・チャンネル・データを拡散するためにウォルシュ符号を使用する。本システムは、１つ以上のトラヒック・チャンネルを有するＣＤＭＡ通信チャンネルを具備する。このトラヒック・チャンネルは、ウォルシュ符号及び対応する利用可能なウォルシュ空間の部分を利用し、且つ少なくとも１つのトラヒック・チャンネルは、２つ以上の異なる長さのウォルシュ符号を利用する。異なるウォルシュ符号によりカバー（cover）されたトラヒック・チャンネル・データの部分は、それから、統合され、同じＣＤＭＡ通信チャンネルを介して送信される。
【００１１】
本発明の１つの実施形態は、無線通信システムにおいて使用する移動局を具備し、ここにおいて、移動局は、少なくとも２つの異なる長さのウォルシュ符号を利用するトラヒック・チャンネルを含む、１つ以上のトラヒック・チャンネルを介してデータを送信するために構成される。移動局により送信されるべきデータは、多数のシンボル・ストリーム（symbol stream ）にそれからデマルチプレックス（demultiplex）されるシンボルを発生させるために処理される。移動局は、次に、異なるウォルシュ符号を用いてシンボル・ストリームの各々を拡散し、いずれかの特定のトラヒック・チャンネルの各々の系列上のシンボルが同じ送信されたエネルギーを有するように系列のパワーを調節し、及び全てのトラヒック・チャンネルのカバーされたシンボルをただ１つのデータ・ストリームに統合する。移動局は、それから、データ・ストリームを基地局に送信する。
【００１２】
本発明の他の実施形態は、そのトラヒック・チャンネルの少なくとも１つに対するデータを拡散するために、多数の異なる長さのウォルシュ符号を使用するＣＤＭＡチャンネルに対応する信号を受信するために構成される基地局を具備する。基地局は、信号を多数の信号のストリームにデマルチプレックスし、多数の信号のストリームの各々は、異なるウォルシュ符号を用いて逆拡散される。各トラヒック・チャンネルに対応する異なるストリームは、それから、ただ１つのシンボル・ストリームを形成するために統合される。受信プロセスの残りは、従来の方式で実行される。
【００１３】
非常に多くのその他の実施形態も、可能である。
【図面の簡単な説明】
【００１４】
【図１】図１は、１つの実施形態に従った例示的な無線通信システムの構造を説明する図である。
【図２】図２は、１つの実施形態に従った無線トランシーバ・システムの基本構造上の構成要素を説明する機能ブロック図である。
【図３】図３は、１つの実施形態に従った移動局と基地局との間の多重チャンネルを説明する図である。
【図４】図４は、１つの実施形態に従った４６３２、６１６８、９２４０、１２３１２、又は１５３８４ビットのエンコーダ・パケット・サイズに対する逆方向リンク拡張補助チャンネル（Ｒ−ＥＳＣＨ）の構造を説明する機能ブロック図である。
【図５】図５は、１つの実施形態に従った（利用可能なウォルシュ空間の異なる部分に対応する）異なるウォルシュ符号の関係を説明するウォルシュ系統図である。
【発明の詳細な説明】
【００１５】
本発明の１つ以上の実施形態が、下記に説明される。下記に説明されるこれらの実施形態及び任意の他の実施形態は、例示であり、本発明を限定するのではなく、本発明の説明のために意図されていることは、注意されるべきである。
【００１６】
本明細書中に説明されるように、本発明の種々の実施形態は、広い周波数スペクトルに亘ってデータを拡散するために直接系列符号を使用するためのシステム及び方法を具備する。スペクトル拡散通信システムは、システムの性能を改善するために、データを送るために厳密に必要であるよりも、より広い帯域幅スペクトルに亘って、データを拡散するための種々の手法を使用する。ＣＤＭＡ（Code Division Multiple Access；符号分割多元アクセス）通信システムは、送信されるべきデータ信号の帯域幅を拡散するために直接系列手法を使用する。この手法は、より高い周波数信号を発生させるためにデータと組み合わせられる疑似ランダム符号を利用する。ＩＳ−２０００規格（ｃｄｍａ２０００とも呼ばれる）により取り囲まれているＣＤＭＡシステムのサブセット（subset）は、データ信号の帯域幅を拡散するためにウォルシュ符号を使用する。
【００１７】
以前のＣＤＭＡ通信システムに（特に、ＩＳ−２０００規格の前の改訂版／公開版（Revisions/Releases）に）実施された低レート逆方向リンク・トラヒック・チャンネルは、利用可能なウォルシュ空間の特定のサブセットを使用した。これらの利用可能なウォルシュ空間のサブセットは、全ウォルシュ空間の約４分の１を占有する。特に、これらの符号は、Ｗ４０ウォルシュ空間を占有する。Ｗｍｋ表記は、長さｍのｍ個のウォルシュ符号のｋ番目のことを言う。ここで、ｋ＝０からｍ−１であり、ｍ＝２ｎであり、ｎ＝１，２，３，…である。Ｗｍｋウォルシュ符号が使用されるとき、それ（その派生物（decendants））から導出されたより長い長さのウォルシュ符号は、もはや、他のトラヒック・チャンネルには利用可能ではない。例えば、Ｗｍｋウォルシュ符号から直接的に導出されるＷ２ｍｋ及びＷ２ｍｋ＋ｍウォルシュ符号（第１番目の派生物）は、Ｗｍｋウォルシュ符号が使用されるとき、他のトラヒック・チャンネルには利用可能ではない。同様に、Ｗｍｋウォルシュ符号の初めから２つの派生物（即ち、第２番目の派生物）から形成されたＷ４ｍｋ、Ｗ４ｍｋ＋ｍ、Ｗ４ｍｋ＋２ｍ、及びＷ４ｍｋ＋３ｍウォルシュ符号は、他のトラヒック・チャンネルには利用可能ではない、等である。Ｗｍｋウォルシュ空間は、Ｗｍｋウォルシュ符号及びその派生物により使用されるウォルシュ空間のサブセットである。それ故に、低レート・トラヒック・チャンネルが、全て、Ｗ４０ウォルシュ符号の派生物であるウォルシュ符号を使用するとき、ウォルシュ空間の残りの４分の３は、高レート・トラヒック・チャンネルのような、他のトラヒック・チャンネルに対して利用可能である。本発明の種々の実施形態は、それぞれのシステムの性能を改善する方法でこれらの符号を使用する。特に、高レート・トラヒック・チャンネルに関して、対応するウォルシュ符号に関連してウォルシュ空間の残りの４分の１の各々を使用するよりはむしろ、ウォルシュ空間（Ｗ４２）の４分の１は、第１の新規のチャンネルに関連して使用され、他方において、残りの半分のウォルシュ空間（Ｗ２１）は、第２の新規のチャンネルに関連して使用される。３つの長さ−４のチャンネル（Ｗ４２、Ｗ４１、及びＷ４３に対応して、各１つ）からの代わりに、異なる長さのウォルシュ符号から形成された、２つの新規のチャンネルに関連させてこれらの４分の３のウォルシュ空間を使用することにより、結果としてのＣＤＭＡチャンネルのピーク対平均比は、低減され、システムの性能は、これにより改善される。
【００１８】
本発明が、本明細書中に、主としてＩＳ−２０００規格に準拠するシステムに関連して説明されるとはいえ、他の実施形態は、その他の規格に準拠することができ、又はウォルシュ符号以外の疑似ランダム拡散符号（例えば、Ｍ系列（M sequence）、ゴールド符号（Gold codes）又はカサミ符号（Kasami codes））を使用させることができることは、注目されるべきである。本開示が、このような他の実施形態に拡張され、使用可能にするために当業者により理解され、そして、このような実施形態が、添付された特許請求の範囲によりカバーされるように意図されることが、確信される。
【００１９】
本発明の好ましい実施形態は、ｃｄｍａ２０００仕様の公開版（release ）に全体として準拠する無線通信システムにおいて実施される。ｃｄｍａ２０００は、ＩＳ−９５規格に基づく、第３世代（３Ｇ）無線通信規格である。ｃｄｍａ２０００規格は、進化していて、新規のサービスを継続的にサポートするために進化し続けている。本発明の好ましい実施形態は、ｃｄｍａ２０００規格の公開版Ｄ（Release D ）を利用するシステムで動作可能であるように意図されているが、他の実施形態は、ｃｄｍａ２０００の他の公開版に又は他の規格（例えば、Ｗ−ＣＤＭＡ）に準拠するシステムに実施されることができる。本明細書中に説明される実施形態は、従って、限定するよりはむしろ、例示であると考えられるべきである。
【００２０】
図１を参照して、例示的な無線通信システムの構造を説明する図が示される。この図に描かれているように、システム１００は、複数の移動局１２０と通信するために構成される基地局１１０を具備する。移動局１２０は、例えば、セルラ電話機、個人情報管理装置（ＰＩＭ（personal information manager）若しくはＰＤＡ）、又は無線通信のために構成される同様のもの、であることがあり得る。これらの装置は、実際に“移動可能である”必要はないが、無線リンクを介して基地局１１０と簡単に通信することができることは、注意されるべきである。基地局１１０は、対応する順方向リンク（forward link）（ＦＬ）チャンネルを介して移動局１２０にデータを送信し、他方において、移動局１２０は、対応する逆方向リンク（reverse link）（ＲＬ）チャンネルを介して基地局１１０にデータを送信する。
【００２１】
この開示の目的のために、図の中の同一の要素は、小文字が後に続く同一の参照番号、例えば、１２０ａ、１２０ｂ、等、により表示されることができることは、注意されるべきである。その部材は、参照番号により簡単に、本明細書中で一括して参照されることができる。
【００２２】
基地局１１０は、有線リンクを介して交換局１３０にも接続される。交換局１３０へのリンクは、基地局１１０が、データ・サーバ１４０、公衆電話交換ネットワーク１５０、又はインターネット１６０のような、種々の他のシステム構成要素と通信することを可能にする。この図中の移動局及びシステム構成要素は、例示であり、そしてその他のシステムは、他のタイプの装置及び他の組み合わせの装置を具備することができることは、注意されるべきである。
【００２３】
実際面では、基地局１１０及び移動局１２０の固有の設計が、著しく変わることがあり得るが、各々は、順方向リンク及び逆方向リンクを介して通信するための無線トランシーバとして働く。基地局１１０及び移動局１２０は、従って、同じ全体的な構造を有する。この構造は、図２に図示される。
【００２４】
図２を参照して、１つの実施形態に従った無線トランシーバ・システムの基本構造構成要素を説明する機能ブロック図が、示される。この図に描かれているように、システムは、送信サブシステム２２２及び受信サブシステム２２４を具備し、それらの各々は、アンテナ２２６に接続される。送信サブシステム２２２及び受信サブシステム２２４は、一括してトランシーバ・サブシステムと呼ばれることができる。送信サブシステム２２２及び受信サブシステム２２４は、アンテナ２２６を通して順方向リンク及び逆方向リンクにアクセスする。送信サブシステム２２２及び受信サブシステム２２４は、送信サブシステム及び受信サブシステム２２２及び２２４を制御するために構成される、プロセッサ２２８にも接続される。メモリ２３０は、プロセッサ２２８に接続され、プロセッサのための動作空間（working space ）及びローカルな記憶場所を提供する。データ源２３２は、プロセッサ２２８に接続され、システムによる送信のためのデータを提供する。データ源２３２は、例えば、マイクロホン又はネットワーク装置からの入力を具備することができる。データは、プロセッサ２２８により処理され、それから、アンテナ２２６を介してデータを送信する送信サブシステム２２２に転送される。アンテナ２２６を経由して受信サブシステム２２４により受信されたデータは、処理するためにプロセッサ２２８に転送され、次に、ユーザに提示するためにデータ出力２３４に転送される。データ出力２３４は、スピーカ、視覚ディスプレイ、又はネットワーク装置への出力のような装置を具備することができる。
【００２５】
当業者は、図２に描かれた構造が、例示であること、及び他の実施形態が、他の構成を使用することができることを、高く評価するであろう。例えば、汎用マイクロプロセッサ、ディジタル信号プロセッサ（digital signal processor）（ＤＳＰ）又は特殊用途プロセッサであり得る、プロセッサ２２８は、トランシーバのその他の構成要素のいくつかの又は全ての機能を実行でき、若しくはトランシーバにより要求されるいずれかのその他の処理を実行できる。従って、本明細書に添付された特許請求の範囲は、本明細書中に説明される特定の構成には限定されない。
【００２６】
移動局に実施されたとして図２の構成を考えると、システムの構成要素は、処理サブシステムに接続されたトランシーバ・サブシステムとして見られることができ、そこでは、トランシーバ・サブシステムは、無線チャンネルを介してデータを受信し且つ送信する責があり、処理サブシステムは、送信のためにトランシーバ・サブシステムへのデータを準備し且つ提供する責があり、自身がトランシーバ・サブシステムから取得するデータを受信し且つ処理する責がある。トランシーバ・サブシステムは、送信サブシステム２２２、受信サブシステム２２４及びアンテナ２２６を含むように考慮されることができる。処理サブシステムは、プロセッサ２２８、メモリ２３０、データ源２３２及びデータ出力２３４を含むように考慮されることができる。
【００２７】
前に示されたように、基地局と移動局との間の通信リンクは、実際には種々のトラヒック・チャンネルを具備する。図３を参照して、移動局と基地局との間の複数のトラヒック・チャンネルを説明する図が示される。図に描かれているように、基地局１１０は、１組の順方向リンク・トラヒック・チャンネル３１０を介して移動局１２０にデータを送信する。これらのトラヒック・チャンネルは、一般的に、それを介してデータが送信されるトラヒック・チャンネル及びそれを介して制御情報が送信されるトラヒック・チャンネルを含む。順方向リンク・チャンネル３１０は、例えば、低速データを送信するために使用されることができる順方向基本チャンネル（Forward Fundamental Channel）（Ｆ−ＦＣＨ）、高レート通信、二地点間の通信のために使用されることができる順方向補助チャンネル（Forward Supplemental Channel）（Ｆ−ＳＣＨ）、又は多数の受信者にメッセージを同報通信するために使用されることができる順方向高速同報通信チャンネル（Forward High-Speed Broadcast Channel）（Ｆ−ＨＳＢＣＨ）を含むことができる。チャンネルは、順方向専用制御チャンネル（Forward Dedicated Control Channel）（Ｆ−ＤＣＣＨ）、順方向同報通信制御チャンネル（forward broadcast control channel）（Ｆ−ＢＣＣＨ）、又は順方向ページング・チャンネル（Forward Paging Channel）（Ｆ−ＰＣＨ）を含むこともでき、これらは、他のトラヒック・チャンネルに関係する又はシステムの動作のその他の態様に関係する制御情報を送信するために使用されることができる。
【００２８】
移動局１２０は、１組の逆方向リンク・トラヒック・チャンネル３２０を介して基地局１１０にデータを送信する。再び、これらのトラヒック・チャンネルは、一般的に、データ又は制御情報を送信するために使用されるトラヒック・チャンネルを含む。移動局１２０は、次のような、チャンネルを介して基地局にデータを返信することができる。例えば、逆方向アクセス・チャンネル（reverse access channel）（Ｒ−ＡＣＨ）、拡大逆方向アクセス・チャンネル（extended reverse access channel）（Ｒ−ＥＡＣＨ）、逆方向要請チャンネル（reverse request channel）（Ｒ−ＲＥＱＣＨ）、逆方向拡張補助チャンネル（reverse enhanced supplemental channel）（Ｒ−ＥＳＣＨ）、逆方向専用制御チャンネル（reverse dedicated control channel）（Ｒ−ＤＣＣＨ）、逆方向共通制御チャンネル（reverse common control channel）（Ｒ−ＣＣＣＨ）、又は逆方向レート指標チャンネル（reverse rate indicator channel）（Ｒ−ＲＩＣＨ）である。
【００２９】
１つの実施形態において、Ｒ−ＥＳＣＨは、移動局から基地局に高レート・データを送信するために使用される。データは、１．５３８４ＭｂｐｓまでのレートでＲ−ＥＳＣＨを介して送信されることができる。データは、１０ｍｓのサブパケットで送信される。Ｒ−ＥＳＣＨの一般的な構造が、図４に図示される。
【００３０】
図４を参照して、４６３２、６１６８、９２４０、１２３１２、又は１５３８４ビットのエンコーダ・パケット・サイズに対するＲ−ＥＳＣＨの構造を説明する機能ブロック図が、示される。この実施形態において、この構造が、この他のパケット・サイズとともに使用されるとき、ある程度変わるはずであることは、注意されるべきである。その構造は、この他の実施形態におけるその実施に際して変わることがあり得る。図４の構造は、可能性のある構造の単なる例示である。図４の機能ブロック図は、１つの実施形態に従った移動局による送信のためのデータを処理するための方法の説明であることも、注意されるべきである。機能ブロック図に図示された構成要素、同様に対応する方法のステップは、本発明の範囲から逸脱することなく、他の実施形態において再構成されることができることは、注意されるべきである。
【００３１】
図４に描かれるように、１６−ビット・パケットＣＲＣは、最初に、ブロック４１０において、送信されようとしている情報ビットに追加される。６−ビット・ターボ・エンコーダ尾部余裕（tail allowance）が、ブロック４２０において、追加される、その結果、エンコーダ・パケットは、今度は（それぞれ、４６１０、６１４６、９２１８、１２２９０、又は１５３６２ビットの情報パケット・サイズに対応する）４６３２、６１６８、９２４０、１２３１２、又は１５３８４ビットのサイズを有する。ターボ・コーディング（Turbo encoding）（ブロック４３０）及びブロック・インタリービング（block interleaving）（ブロック４３０）は、それから、エンコーダ・パケット上で実行される。シンボルは、それから、ブロック４５０において、インタリーブされたデータから選択され、結果として生じるシンボルは、変調される（ブロック４６０）。
【００３２】
シンボルは、それから、適切なウォルシュ符号を用いてカバーされる（ブロック４７０）。図４に描かれた実施形態において、これは、シンボル・デマルチプレクサ（demulitiplexer）又は系列デマルチプレクサ（ブロック４７１）、適切なウォルシュ符号を用いてシンボルをカバーする構成要素（ブロック４７２及び４７３）、パワー増幅器（ブロック４７４）、及びチップ・レベル積算器（ブロック４７５）を具備する一連の構成要素を用いて実現される。
【００３３】
図４により描かれるトラヒック・チャンネルにおいて、デマルチプレクサ４７１は、変調器４６０からのシンボルの１個のストリームを変換し、２つの別々のストリームを生成する。シンボルＤＥＭＵＸ実施形態に関して、ストリームのうちの１つは、各３番目のシンボルから成り、このシンボルが＋＋−−ウォルシュ符号を用いてカバーされるブロック４７２において処理され、そしてその他のストリームは、残りのシンボル（全体の３分の２）から成り、これらは、シンボルが＋−ウォルシュ符号を用いてカバーされるブロック４７３において処理される。系列ＤＥＭＵＸ実施形態に関して、ストリームのうちの１つは、入力シンボルの最初の３分の１から成り、これらは、シンボルが＋＋−−ウォルシュ符号を用いてカバーされるブロック４７２において処理され、そしてその他のストリームは、入力シンボルの最後の３分の２から成り、これらは、シンボルが＋−ウォルシュ符号を用いてカバーされるブロック４７３において処理される。ブロック４７３により処理されたシンボルは、２倍（2x）のパワー利得を与えるためにブロック４７４において増幅される。２つの別々のシンボル・ストリームは、それから、送信のための１個のストリームにマルチプレックス（multiplex）して戻すために、ブロック４７５で合計される。
【００３４】
前に記したように、この方式でＲ−ＥＳＣＨのデータを処理することは、高レート・トラヒック・チャンネルに利用可能であったウォルシュ空間の４分の３全体を使用させるが、２つのウォルシュ・チャンネルだけを使用する。当業者は、３つの代わりの２つのウォルシュ・チャンネルの使用が、Ｒ−ＥＳＣＨのピーク対平均パワー比を低減することを、認識する。ピーク対平均パワー比が低減されるという理由で、移動局は、飽和点にさらに接近してそのパワー増幅器を動作させることができ、そしてこれにより、連続の利点（range advantage）を得ることができる。
【００３５】
本明細書中に説明されるように、Ｒ−ＥＳＣＨを介して送信されるべきデータを処理することが、限定するのではなく例示であるように意図されることは、注意されるべきである。開示された技術が、必要とされるウォルシュ・チャンネルの数を最小化するために異なる長さのウォルシュ符号を使用する複数のチャンネルを介して１個のトラヒック・チャンネルをマルチプレキシングすることにより、可能な限り多くのウォルシュ・チャンネル・リソースを利用するために使用されることができる一方で、これらの技術は、他のタイプのチャンネル及びリソースを用いて利用されることができる。開示された実施形態において使用される技術は、同様に、その他のチャンネルを用いて使用されることができる。他の実施形態は、その他の逆方向リンク・チャンネルにおいて又は順方向リンク・チャンネルにおいてこれらの技術を実施することができ、そしてｃｄｍａ２０００又は任意の他の特定の規格に準拠する必要はない。
【００３６】
前記したように、特定のトラヒック・チャンネル（例えば、Ｒ−ＦＣＨ）は、従来どおり、ただ１つのウォルシュ符号を利用する。このようなトラヒック・チャンネルにおいて、シンボルは、非常に単純明快な方法で適切なウォルシュ符号によりカバーされることができる。図４に描かれたチャンネルにおいては、しかしながら、２つのウォルシュ・チャンネルが使用される。更に、これらのチャンネルの各々は、異なる長さのウォルシュ符号（この実施形態においては、Ｗ４２及びＷ２１）を使用する。従って、適切なウォルシュ符号を用いてチャンネルの内部で発生されたシンボルをカバーすることは、より複雑な課題である。このように、図４におけるチャンネルのブロック４７０は、変調されたシンボルの対（Ｉ及びＱ）をデマルチプレックスし（demultiplex）、ある複数のシンボルを長さ４のウォルシュ符号を用いてカバーし、残りのシンボルを長さ２のウォルシュ符号を用いてカバーし、長さ２のウォルシュ符号を用いてカバーされたシンボルを増幅し、それから、送信されるべき信号を生成するためにカバーされたシンボルの全てを再統合させなければならない。
【００３７】
前に示されたように、図４に描かれた逆方向リンク・チャンネルは、長さ４のウォルシュ符号と長さ２のウォルシュ符号の両方を使用する。これらのウォルシュ候補符号（Walsh candidates）を使用する理由は、図５を参照して説明される。図５を参照して、（利用可能なウォルシュ空間の様々な部分に対応する）様々なウォルシュ符号の関係を説明するウォルシュ系統図（tree）が示される。この図に描かれたように、ウォルシュ空間（可能なウォルシュ符号の全て）は、多くの枝、及び若干の枝の末端に葉を有する系統図として示されることができる。ウォルシュ系統図の各々の枝は、可能なウォルシュ符号のサブセットに対応する。このように、最上位レベルのノード５００は、２組の長さ２の符号（符号Ｗ２１及びＷ２０、又は＋−及び＋＋にそれぞれ対応する、ノード５１０及び５２０）に枝分かれする。同様に、ノード５２０は、２組の長さ４の符号（ノード５３０及び５４０）に枝分かれし、ノード５４０は、２組の長さ８の符号（ノード５５０及び５６０）に枝分かれし、ノード５５０は、２組の長さ１６の符号（ノード５５３及び５５７）に枝分かれし、ノード５６０は、２組の長さ１６の符号（ノード５６３及び５６７）に枝分かれする、等である。
【００３８】
ウォルシュ系統図の異なるノードに対応する異なるウォルシュ符号は、対応するチャンネルが直交することを確実にするために使用される。一旦、系統図上の特定のノードが使用されると、それは、系統図を終端させ、そのノードからの更なる枝は、１つも使用されることはできない。例えば、ノード５６８に対応するウォルシュ符号は、逆方向パイロット・チャンネル（reverse pilot channel）（Ｒ−ＰＩＣＨ）のために使用され、それ故に、このノードからの更なる枝分かれは１つもあり得ない。他方において、ノード５６５に対応するウォルシュ符号は、どのチャンネルのためにも使用されることがなく、それ故に、系統図は、ノード５６４及び５６６に枝分かれし、これらのノードに対応するウォルシュ符号は、それぞれ、逆方向レート指標チャンネル（reverse rate indicator channel）（Ｒ−ＲＩＣＨ）及び逆方向肯定的応答チャンネル（reverse acknowledgement channel）（Ｒ−ＡＣＫＣＨ）を用いて使用するために利用可能である。
【００３９】
ウォルシュ空間の先頭の４分の１の大部分は、低レートの従来（legacy）のトラヒック・チャンネルにより使用される。これらのトラヒック・チャンネル並びに図５のウォルシュ系統図のそれらの対応するウォルシュ符号及びノードは、下記の表に示される。逆方向拡張補助チャンネル（reverse enhanced supplemental channel ）（Ｒ−ＥＳＣＨ）は、Ｗ４２及びＷ２１（それぞれ、ノード５３０及び５１０）に対応するウォルシュ空間の４分の３を使用し、他方においては、Ｒ−ＥＳＣＨに関する制御情報を提供するＲ−ＲＩＣＨ（逆方向レート指標チャンネル）は、図５のウォルシュ系統図の既に占有された先頭の４分の１の中の未使用のウォルシュ符号（Ｗ６４４８）を採用する。
【表１】
0005479397.tif 000002
【００４０】
従来は、トラヒック・チャンネルにおいてウォルシュ符号を用いてシンボルをカバーすることは、そのトラヒック・チャンネルに対して適切なウォルシュ符号を採用すること及びウォルシュ符号を用いてシンボルを変調することにより、実現されるはずである。結果として生じるデータは、それから、対応するウォルシュ・チャンネル上で送信される。ウォルシュ空間の４分の３に対応するウォルシュ・リソースを使用するように本実施形態においてＲ−ＥＳＣＨに対して意図されているためであるが、しかしながら、１以上のウォルシュ・チャンネルが使用されなければならない（１つのウォルシュ・チャンネルは、既に使用されたウォルシュ空間をもカバリングし、これを除く要望されたウォルシュ空間の全てをカバーすることがない。）。３つの対応するウォルシュ・チャンネルに関連して、ウォルシュ空間の利用可能な４分の３（Ｗ４２、Ｗ４１、及びＷ４３）の各々に対してウォルシュ符号を使用するよりはむしろ、２つのウォルシュ・チャンネル及び対応するウォルシュ符号（Ｗ４２及びＷ２１）のみが使用される。これは、どちらかというと、直感的なものとは逆であり、その理由は、異なる長さ（Ｗ４２及びＷ２１）の代わりに全て同じ長さ（即ち、Ｗ４ｎ）であるウォルシュ符号の使用を実施することがより簡単であり得るからである。しかしながら、この実施形態で使用された異なる長さの符号は、より少ないチャンネル（３つの代わりに２つ）の使用がより低いピーク対平均比を生じる結果となるという点で改善された性能を提供する。
【００４１】
説明された実施形態は、逆方向リンク・データ・チャンネルを介して送信されるデータをカバーするために、ウォルシュ空間の４分の３を利用する。前記されたように、この実施形態は、無線通信システムにおける移動局において実施されることができる。他の実施形態は、逆方向リンク・データ・チャンネルを介して送信されるデータを受信するため、且つそのデータをデコードするための基地局を具備することができる。データをデコーディングする処理は、本質的には、前述のチャンネルの説明の逆をたどる。例えば、受信された信号は、サブパケット・シンボルを発生させるために様々な長さのウォルシュ符号を使用して、デマルチプレックスされ且つ復号化され。サブパケット・シンボルは、それから、比較的従来の方式で復号化されることができる１個のシンボルのストリームにマルチプレックスされる。従って、本発明は、データの送信と受信の両方に関して実施されることができる実施形態を含む。
【００４２】
当業者は、情報及び信号が任意の様々な異なる技術及び手法を使用して表現されることができることを理解するはずである。例えば、上記の説明の全体に亘って参照されることがあるデータ、指示、命令、情報、信号、ビット、シンボル、及びチップは、電圧、電流、電磁波、磁場又は磁粒子、光場又は光粒子、若しくはこれらの任意の組み合わせにより表現されることができる。
【００４３】
当業者は、更に、本明細書中に開示された実施形態に関連して説明された種々の例示の論理ブロック、モジュール、回路、及びアルゴリズム・ステップは、電子的ハードウェア、コンピュータ・ソフトウェア、又はその両方の組み合わせとして実施されることができることを高く評価する。このハードウェア及びソフトウェアの互換性を明瞭に説明するために、種々の例示の構成要素、ブロック、モジュール、回路、及びステップは、それらの機能性の点から概論的に前に説明されてきた。このような機能性がハードウェア又はソフトウェアとして実施されるかどうかは、システム全体に課せられる固有のアプリケーション及び設計の制約に左右される。知識のある技術者は、各固有のアプリケーションに対して異なる方法で説明された機能性を実施することができるが、このような実施決定は、本発明の範囲からの逸脱を生じさせるものと解釈されるべきではない。
【００４４】
本明細書中に開示された実施形態に関連して説明された種々の例示の論理ブロック、モジュール、及び回路は、汎用プロセッサ、ディジタル信号プロセッサ（digital signal processor）（ＤＳＰ）、用途特定集積回路（application specific integrated circuit）（ＡＳＩＣ）、フィールド・プログラム可能なゲート・アレー（field programmable gate array）（ＦＰＧＡ）若しくは他のプログラム可能論理装置、個別ゲート又はトランジスタ論理回路、個別ハードウェア構成要素、又は本明細書中に説明された機能を実行するために設計されたこれらの任意の組み合わせを用いて実施され、又は実行されることができる。汎用プロセッサは、マイクロプロセッサであり得るが、代案として、プロセッサは、任意の従来のプロセッサ、コントローラ、マイクロコントローラ、又はステート・マシン（state machine ）であり得る。プロセッサは、演算装置の組み合わせ、例えば、ＤＳＰとマイクロプロセッサの組み合わせ、複数のマイクロプロセッサ、ＤＳＰコア併用の１つ以上のマイクロプロセッサ、又は任意の他のこのような構成として実施されることもできる。
【００４５】
本明細書中に開示された実施形態と関連して説明された方法又はアルゴリズムのステップは、ハードウェアに、プロセッサにより実行されるソフトウェア・モジュールに、又はその２つの組み合わせに、直接的に具体化されることができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、着脱可能ディスク、ＣＤ−ＲＯＭ、又は技術的に公知の任意の他の形式の蓄積媒体に、常駐できる。例示的な蓄積媒体は、プロセッサが蓄積媒体から情報を読み取り、蓄積媒体に情報を書き込むことができるような、プロセッサに接続される。代案として、蓄積媒体は、プロセッサと一体化されてもよい。プロセッサ及び蓄積媒体は、ＡＳＩＣに常駐できる。ＡＳＩＣは、ユーザ端末に常駐できる。代案として、プロセッサ及び蓄積媒体は、ユーザ端末に個別構成要素として常駐できる。
【００４６】
開示された実施形態の前の説明は、いずれかの当業者が本発明を製作し又は使用することが可能にするように提供される。これらの実施形態への種々の変更は、当業者には容易に明白であり、本明細書中に規定された一般的な原理は、本発明の精神又は範囲から逸脱しないで、他の実施形態に適用されることができる。このように、本発明は、本明細書中に示された実施形態に限定されるように意図されるものではなく、本明細書中に開示された原理及び新規な特徴とは矛盾しない最も広い範囲と一致するものである。
以下に本願発明の当初の特許請求の範囲に記載された発明を付記する。
[１]
無線通信チャンネルを介して受信機と通信することが実施可能な送信機であって、ここにおいて、該送信機は下記を具備する：
処理サブシステム；及び
処理サブシステムに接続された送信機サブシステム；
ここにおいて、処理サブシステムは、第１の無線通信チャンネル上に送信されるべき初期データ・ストリームを少なくとも２つの異なる拡散符号を用いてカバーするために構成される；及び
ここにおいて、送信機サブシステムは、結果として生じる最終データ・ストリームを第１の無線通信チャンネル上に送信するために構成される。
[２]
処理サブシステムは、初期データ・ストリームを複数の中間データ・ストリームにデマルチプレックスするために構成されたマルチプレクサを具備する、[１]記載の送信機。
[３]
処理サブシステムは、中間データ・ストリームの各々を拡散符号の組の１つを用いてカバーするために構成される、ここにおいて、該拡散符号の組は、少なくとも２つの異なる拡散符号を含む、[２]記載の送信機。
[４]
処理サブシステムは、中間データ・ストリームを最終データ・ストリームにマルチプックスするために構成される、[３]記載の送信機。
[５]
拡散符号は、異なる長さの拡散符号である、[１]記載の送信機。
[６]
拡散符号は、ウォルシュ符号である、[１]記載の送信機。
[７]
拡散符号は、＋−及び＋＋−−符号を具備する、[６]記載の送信機。
[８]
初期データ・ストリームは、シンボルのストリームを具備する、[１]記載の送信機。
[９]
送信機は、無線通信システムにおいて動作可能な基地局の構成要素を具備する、[１]記載の送信機。
[１０]
送信機は、無線通信システムにおいて動作可能な移動局の構成要素を具備する、[１記載の送信機。
[１１]
処理サブシステムは、第２の無線通信チャンネル上に送信されるべき更なるデータ・ストリームをただ１つの拡散符号を用いてカバーするために構成され、及び送信機サブシステムは、結果として生じるデータ・ストリームを該第２の無線通信チャンネル上に送信するために構成される、ここにおいて、該１つの拡散符号は、初期データ・ストリームをカバーするために使用された少なくとも２つの異なる拡散符号とは異なる、[１]記載の送信機。
[１２]
無線通信チャンネルを介して送信機と通信することが実施可能な受信機であって、ここにおいて、該送信機は下記を具備する：
処理サブシステム；及び
処理サブシステムに接続された受信機サブシステム；
ここにおいて、受信機サブシステムは、第１の無線通信チャンネルを介して初期データ・ストリームを受信するために構成される；及び
ここにおいて、処理サブシステムは、少なくとも２つの異なる拡散符号を使用して初期データ・ストリームを復号化するために構成される。
[１３]
処理サブシステムは、初期データ・ストリームを複数の中間データ・ストリームにデマルチプレックスするために構成されたデマルチプレクサを具備する、[１２]記載の受信機。
[１４]
処理サブシステムは、拡散符号の組の１つを使用して中間データ・ストリームの各々を復号化するために構成される、ここにおいて、該拡散符号の組は、少なくとも２つの異なる拡散符号を含む、[１３]記載の受信機。
[１５]
処理サブシステムは、中間データ・ストリームを復号化されたデータ・ストリームにマルチプレックスするために構成される、[１４]記載の受信機。
[１６]
拡散符号は、異なる長さの拡散符号である、[１２]記載の受信機。
[１７]
拡散符号は、ウォルシュ符号である、[１２]記載の受信機。
[１８]
拡散符号は、＋−及び＋＋−−符号を具備する、[１７]記載の受信機。
[１９]
復号化されたデータ・ストリームは、シンボルのストリームを具備する、[１２]記載の受信機。
[２０]
受信機は、無線通信システムにおいて動作可能な基地局の構成要素を具備する、[１２]記載の受信機。
[２１]
受信機は、無線通信システムにおいて動作可能な移動局の構成要素を具備する、[１２]記載の受信機。
[２２]
処理サブシステムは、第２の無線通信チャンネルを介して受信された更なるデータ・ストリームをただ１つの拡散符号を用いて復号化するために構成される、ここにおいて、該１つの拡散符号は、初期データ・ストリームを復号化するために使用される少なくとも２つの異なる拡散符号と異なる、[１２]記載の受信機。
[２３]
無線通信チャンネルを介して情報を送信するための方法であって、該方法は下記を具備する：
第１の無線通信チャンネル上に送信されるべき初期データ・ストリームを提供すること；
少なくとも２つの異なる拡散符号を用いて初期データ・ストリームをカバーすること；及び
第１の無線通信チャンネル上に結果として生じる最終データ・ストリームを送信すること。
[２４]
初期データ・ストリームを複数の中間データ・ストリームにデマルチプレキシングすることを更に具備する、[２３]記載の方法。
[２５]
少なくとも２つの異なる拡散符号を用いて初期データ・ストリームをカバリングすることは、拡散符号の組の１つを用いて中間データ・ストリームの各々をカバリングすることを具備する、ここにおいて、該拡散符号の組は、該少なくとも２つの異なる拡散符号を含む、[２４]記載の方法。
[２６]
中間データ・ストリームを最終データ・ストリームにマルチプレキシングすることを更に具備する、[２５]記載の方法。
[２７]
拡散符号は、異なる長さの拡散符号である、[２３]記載の方法。
[２８]
拡散符号は、ウォルシュ符号である、[２３]記載の方法。
[２９]
拡散符号は、＋−及び＋＋−−符号を具備する、[２８]記載の方法。
[３０]
初期データ・ストリームは、シンボルのストリームを具備する、[２３]記載の方法。
[３１]
無線通信システムにおいて動作可能な基地局で実施される、[２３]記載の方法。
[３２]
無線通信システムにおいて動作可能な移動局で実施される、[２３]記載の方法。
[３３]
第２の無線通信チャンネル上に送信されるべき更なるデータ・ストリームをただ１つの拡散符号を用いてカバーすること、及び第２の無線通信チャンネル上に対応するデータ・ストリームを送信することを更に具備する、ここにおいて、該１つの拡散符号は、初期データ・ストリームをカバーするために使用された少なくとも２つの異なる拡散符号と異なる、[２３]記載の方法。
[３４]
無線通信チャンネルを介して受信された情報をデコーディングするための方法であって、該方法は下記を具備する：
第１の無線通信チャンネルを介して初期データ・ストリームを受信すること；及び
少なくとも２つの異なる拡散符号を使用して初期データ・ストリームをデコーディングすること。
[３５]
初期データ・ストリームを複数の中間データ・ストリームにデマルチプレキシングすることを更に具備する、[３４]記載の方法。
[３６]
拡散符号の組の１つを使用して中間データ・ストリームの各々をデコーディングすることを更に具備する、ここにおいて、該拡散符号の組は、少なくとも２つの異なる拡散符号を含む、[３５]記載の方法。
[３７]
中間データ・ストリームを復号化されたデータ・ストリームにマルチプレキシングすることを更に具備する、[３６]記載の方法。
[３８]
拡散符号は、異なる長さの拡散符号である、[３４]記載の方法。
[３９]
拡散符号は、ウォルシュ符号である、[３４]記載の方法。
[４０]
拡散符号は、＋−及び＋＋−−符号を具備する、[３９]記載の方法。
[４１]
復号化されたデータ・ストリームは、シンボルのストリームを具備する、[３４]記載の方法。
[４２]
該方法は、無線通信システムにおいて動作可能な基地局で実施される、[３４]記載の方法。
[４３]
該方法は、無線通信システムにおいて動作可能な移動局で実施される、[３４]記載の方法。
[４４]
第２の無線通信チャンネルを介して受信された更なるデータ・ストリームをただ１つの拡散符号を用いてデコーディングすることを更に具備する、ここにおいて、該１つの拡散符号は、初期データ・ストリームを復号化するために使用された少なくとも２つの異なる拡散符号と異なる、[３４]記載の方法。
【符号の説明】
【００４７】
１００…システム、１２０…移動局、３１０…順方向リンク・トラヒック・チャンネル、３２０…逆方向リンク・トラヒック・チャンネル、５００〜５６６…ノード。
【図１】
0005479397.tif 000003
【図２】
0005479397.tif 000004
【図３】
0005479397.tif 000005
【図４】
0005479397.tif 000006
【図５】
0005479397.tif 000007